(57)【要約】【課題】画像信号に付加されたインデックス信号が判定されたら次のラインより画像を表示するように制御して、表示画像の更新時間を短縮化する。【解決手段】インデックス判定手段６は、フレーム選択手段７へフレーム選択番号ＦＳを、画像信号書き込み制御手段９へインデックス一致信号ＩＧを出力する。画像信号書き込み制御手段９は、インデックス判定手段６のインデックス一致信号ＩＧに基づき、フレーム選択手段７と画像信号読み出し制御手段１０へ画像信号書込開始信号ＷＳを出力する。フレーム選択手段７はインデックス付加ラインの次ラインの画像信号Ｄｓを画像信号記憶手段８に記憶させる。画像信号読み出し制御手段１０は、画像信号書き込み開始信号ＷＳに基づき、画像信号記憶手段８へ画像信号読出し信号ＲＳを出力し画像信号を出力させる。画像表示手段１１は画像信号記憶手段８より次のラインから画像信号Ｄｒを取得して表示する。【選択図】　　　　図６
2004102026.tif 000002
【特許請求の範囲】
【請求項１】
複数の画像表示装置を設置し、マルチ画面の表示機能を有する画像表示システムにおいて、
複数の画像フレームよりなる画像信号、該画像信号に対応する同期信号、および前記画像信号の任意の画像フレームに該画像信号の一部を置き換えて付加されたインデックス信号を含む複合化信号を受信し、受信した複合化信号から前記画像信号、前記同期信号、及び前記インデックス信号を分離して出力する画像信号受信手段と、
前記画像信号受信手段から分離され出力された前記画像信号と前記同期信号から有効表示領域信号を再生して出力する有効表示領域再生手段と、
前記有効表示領域信号と前記画像信号よりインデックス信号を判別し、判別されたインデックス信号を出力するインデックス判別手段と、
自装置に対して設定された画像表示装置番号を出力する画像表示装置番号設定手段と、
前記インデックス判別手段から出力されたインデックス信号と前記画像表示装置番号設定手段より出力された自装置の画像表示装置番号とに基づいて、前記画像信号に含まれる画像フレームを選択するためのフレーム選択信号を出力するインデックス判定手段と、
前記インデックス判定手段が出力したフレーム選択信号に応じて、前記画像信号に含まれる画像フレームを選択するフレーム選択手段と、
前記フレーム選択手段から出力された画像フレームに対応する画像信号を記憶する画像信号記憶手段と、
前記インデックス判定手段の判定結果に基づいて、前記画像信号記憶手段へ画像信号を記憶開始するように制御するための画像信号書き込み開始信号を出力する画像信号書き込み制御手段と、
前記画像信号書き込み開始信号を受信し、前記画像信号記憶手段に記憶された該画像信号を出力するように画像信号読出し信号を出力する画像信号読み出し制御手段と、
前記画像信号記憶手段から取得した画像フレームに対応する画像信号を表示する画像表示手段と
を備えることを特徴とする画像表示システム。
【請求項２】
前記画像信号受信手段が受信した複合化信号がアナログ信号の場合、前記画像信号書き込み制御手段および前記画像信号読み出し制御手段が、インデックス信号が付加された有効表示領域信号の次の有効表示領域信号から画像信号を出力して表示するように制御を行うことを特徴とする請求項１に記載の画像表示システム。
【請求項３】
複数の画像表示装置を設置し、マルチ画面の表示機能を有する画像表示システムにおいて、
複数の画像フレームよりなる画像信号、該画像信号に対応する同期信号、および前記画像信号の任意の画像フレームに該画像信号の一部を置き換えて付加されたインデックス信号を含む複合化信号を受信し、受信した複合化信号から前記画像信号、前記同期信号、及び前記インデックス信号を分離して出力する画像信号受信手段と、
前記画像信号受信手段から分離されて出力された有効表示領域信号とデジタル画像信号より送出インデックス信号を判別しインデックス信号を出力するインデックス判別手段と、
自装置に対して設定された画像表示装置番号を出力する画像表示装置番号設定手段と、
前記インデックス判別手段から出力されたインデックス信号と前記画像表示装置番号設定手段より出力された自装置の画像表示装置番号とに基づいて、前記画像信号に含まれる画像フレームを選択するためのフレーム選択信号を出力するインデックス判定手段と、
前記インデックス判定手段が出力したフレーム選択信号に応じて前記画像信号に含まれる画像フレームを選択するフレーム選択手段と、
前記フレーム選択手段から出力された画像フレームに対応する画像信号を記憶する画像信号記憶手段と、
前記インデックス判定手段の判定結果に基づいて、前記画像信号記憶手段へ画像信号を記憶開始するように制御する画像信号書き込み開始信号を出力する画像信号書き込み制御手段と、
前記画像信号書き込み開始信号を受信して、前記画像信号記憶手段へ記憶された画像信号を出力するように画像信号読出し信号を出力する画像信号読み出し制御手段と、
前記画信号像記憶手段から取得した画像フレームに対応する画像信号を表示する画像表示手段と
を備えることを特徴とする画像表示システム。
【請求項４】
前記画像信号受信手段が受信した複合化信号がデジタル信号の場合、前記画像信号書き込み制御手段および前記画像信号読み出し制御手段が、インデックス信号が付加された有効表示領域信号の次の有効表示領域信号より画像信号を出力して表示するように制御を行うことを特徴とする請求項３に記載の画像表示システム。
【発明の詳細な説明】
【０００１】
【発明の属する技術分野】
本発明は、画像信号発生装置と画像表示装置からなる画像表示システムに関するものであり、より詳しくは、パーソナルコンピュータ（ＰＣ）などで使われる所定のフォーマットを有する画像信号発生装置と、液晶パネル、ＣＲＴ、デジタルマイクロミラー・デバイス（ＤＭＤ）、プラズマディスプレイ（ＰＤＰ）、あるいはフィールド・エミッション・ディスプレイ（ＦＥＤ）などの表示デバイスを含んで構成される画像表示装置とからなる画像表示システムに関するものであり、さらに詳しくは、複数の画像表示装置を設置することにより、所定の画像を高精細に大画面として表示させるマルチ画面表示機能を備えた画像表示システムに関するものである。
【０００２】
【従来の技術】
従来、画像信号送出装置からインデックス信号を付加した複合化信号を送出して画像表示装置へ表示するまでの制御動作は、画像信号送出装置が出力する垂直同期信号を基準にして行なわれており、画像表示装置に表示された表示画像を更新するためには、垂直同期期間は最低でも３フレーム分を必要としている。
【０００３】
図１２は、従来技術におけるインデックスの動作を具体的に示す説明図である。つまり、この図は、特開平５−２４９９３２号公報に開示された表示画像の更新タイミングを分かりやすく図示したものである。一つの画像表示装置の表示画像が更新されるまでの間の画像表示装置内部の動作と画像信号送出装置の内部動作を、画像信号送出装置より出力される垂直同期信号に基づいて見ると、最低３フレームの期間を画像更新期間として必要としていることが分かる。さらに、インデックス信号（ＩＤ信号）で指定する画像表示装置の数が増えるに従って一つの画像表示装置の表示画像更新期間は長くなってしまう。このように画像更新期間が長くなれは、動画表示などの滑らかな動きを必要とする画像を表示する場合に動画の動作が不連続になるなどの不具合が生じる。
【０００４】
次に、特開２０００−３５２９６２号公報で開示されているインデックス信号を扱った画像表示システムとインデックス信号判別手段の動作について説明する。図１は、画像信号発生装置と画像表示装置からなる従来の画像表示システムの構成図である。つまり、この図はインデックス信号を扱った画像表示システムを概略的に表した概念図である。画像信号発生装置２０１には複数の画像表示装置２０２が通信ケーブル等によって電気的に接続され、各々の画像表示装置２０２はそれぞれ画像表示装置番号１〜ｎを有している。画像信号発生装置２０１は、各画像表示装置２０２の有する画像表示部に対して、実際に表示される正味の画像信号、この正味の画像信号に対応する同期信号、および正味の画像信号の一部を置き換えて付加された送出インデックス信号を出力する。尚、以下の説明では画像信号発生装置２０１から出力される信号を総称して複合化信号と云うことにする。
【０００５】
画像信号発生装置２０１から出力された複合化信号は、それぞれの画像表示装置２０２に並列的に与えられる。各画像表示装置２０２は、受信した複合化信号から、正味の画像信号、同期信号およびインデックス信号の各信号に分離する。そして、各画像表示装置２０２に設定されている画像表示装置番号１、２…ｎと、インデックス信号とが適合した画像表示装置２０２は、受信した画像信号からの画像表示装置番号を有するフレームに含まれる正味の画像信号を画像表示装置２０２の画像表示部に表示させる。以上が特開２０００−３５２９６２号公報におけるインデックス信号を扱った画像表示システムの動作である。
【０００６】
図２は、図１に示す従来の画像表示システムにおいて、インデックス信号が画像信号の一部を置き換えて付加された場合の各信号のタイミングチャートである。つまり、この図は、横軸に時間、縦軸に信号レベルを示し、１フレーム期間における垂直同期信号、水平同期信号、および画像信号中の画像表示期間内にインデックス信号が画像信号の一部を置き換えて付加された画像信号のタイミングを示す説明図である。
【０００７】
図３は、図１に示す従来の画像表示システムにおいて、画像信号の一部を置き換えて付加されたインデックス信号を８画素で示した説明図であり、図４は、図１に示す従来の画像表示システムにおいて、画像信号の一部を置き換えて付加されたインデックス信号を８画素と１パリティで示した説明図である。図３及び図４において丸印は１つの画素を表している。つまり、図３におけるインデックス信号は、画像期間の所定の位置（ここでは表示画面上のある１ライン上）にある８画素で構成されている。また、図４におけるインデックス信号は、８画素の後に１画素分のパリティが付加されて構成されている。
【０００８】
図３と図４のインデックス信号を抽出する動作を図２のタイミングチャートを用いて説明すると、同期信号（垂直同期信号、水平同期信号）をタイミングの基準（時間軸上の位置基準）として、あらかじめ決められた所定の位置にあるインデックス信号を画像信号中から割り出し、受信したインデックス信号を抽出して表示画像の更新を行っている。
【特許文献１】
特開２０００−３５２９６２（図１、段落００３０第１行〜第１１行）
【０００９】
【発明が解決しようとする課題】
しかしながら、従来技術における表示画像の更新制御においては、全ての制御動作は、垂直同期信号をタイミングの基準（時間軸上の位置基準）としてインデックス信号を画像信号中から割り出しいる。このため、一定時間以上が経過しないと画像表示装置の表示画像を更新することができない。したがって、画像表示装置の表示画像が更新されるまでの間は表示内容がフリーズしているため、動画などの滑らかな動きを必要とする画像を表示するには不向きとなる。
【００１０】
本発明は、上述の課題に鑑みてなされたもので、その目的とするところは、画像信号に付加されたインデックス信号が判定されたら、次の垂直同期信号を待たずに、インデックス信号の付加されたラインを表示することなく、次のラインより画像を表示するように制御することにより、表示画像の更新時間を短縮できる画像表示システムを提供することにある。
【００１１】
【課題を解決するための手段】
上記の目的を達成するため、第１の発明における画像表示システムは、複数の画像表示装置を設置し、マルチ画面の表示機能を有する画像表示システムにおいて、複数の画像フレームよりなる画像信号、この画像信号に対応する同期信号、および画像信号の任意の画像フレームに画像信号の一部を置き換えて付加されたインデックス信号を含む複合化信号を受信し、受信した複合化信号から画像信号、同期信号、及びインデックス信号を分離して出力する画像信号受信手段と、画像信号受信手段から分離され出力された画像信号と同期信号から有効表示領域信号を再生して出力する有効表示領域再生手段と、有効表示領域信号と画像信号よりインデックス信号を判別し、判別されたインデックス信号を出力するインデックス判別手段と、自装置に対して設定された画像表示装置番号を出力する画像表示装置番号設定手段と、インデックス判別手段から出力されたインデックス信号と画像表示装置番号設定手段より出力された自装置の画像表示装置番号とに基づいて、画像信号に含まれる画像フレームを選択するためのフレーム選択信号を出力するインデックス判定手段と、インデックス判定手段が出力したフレーム選択信号に応じて、画像信号に含まれる画像フレームを選択するフレーム選択手段と、フレーム選択手段から出力された画像フレームに対応する画像信号を記憶する画像記憶手段と、判定結果に基づいて画像信号記憶手段へ画像信号を記憶開始するよう制御する画像信号書き込み開始信号を出力する画像信号書き込み制御手段と、画像信号書き込み開始信号を受信し、画像信号記憶手段へ記憶された画像信号を出力するよう画像信号読出し信号を出力する画像信号読み出し制御手段と、画像信号記憶手段から取得した画像フレームに対応する画像信号を表示する画像表示手段とを備えることを特徴とする。
【００１２】
また、第２の発明における画像表示システムは、第１の発明において、画像信号受信手段が受信した複合化信号がアナログ信号の場合、画像信号書き込み制御手段および画像信号読み出し制御手段が、インデックス信号が付加された有効表示領域信号の次の有効表示領域信号から画像信号を出力して表示するように制御を行うことを特徴とする。
【００１３】
また、第３の発明の画像表示システムは、複数の画像表示装置を設置し、マルチ画面の表示機能を有する画像表示システムにおいて、複数の画像フレームよりなる画像信号、この画像信号に対応する同期信号、および画像信号の任意の画像フレームに画像信号の一部を置き換えて付加されたインデックス信号を含む複合化信号を受信し、受信した複合化信号から画像信号、同期信号、及びインデックス信号を分離して出力する画像信号受信手段と、画像信号受信手段から分離されて出力された有効表示領域信号とデジタル画像信号より送出インデックス信号を判別してインデックス信号を出力するためのインデックス判別手段と、自装置に対して設定された画像表示装置番号を出力する画像表示装置番号設定手段と、インデックス判別手段から出力されたインデックス信号と画像表示装置番号設定手段より出力された自装置の画像表示装置番号とに基づいて、画像信号に含まれる画像フレームを選択するためのフレーム選択信号を出力するインデックス判定手段と、インデックス判定手段が出力したフレーム選択信号に応じて画像信号に含まれる画像フレームを選択するフレーム選択手段と、フレーム選択手段から出力された画像フレームに対応する画像信号を記憶する画像信号記憶手段と、判定結果に基づいて画像信号記憶手段へ画像信号を記憶開始するよう制御する画像信号書き込み開始信号を出力する画像信号書き込み制御手段と、画像信号書き込み開始信号を受信して画像信号記憶手段へ記憶された画像信号を出力するよう画像信号読出し信号を出力する画像信号読み出し制御手段と、画信号像記憶手段から取得した画像フレームに対応する画像信号を表示する画像表示手段とを備えたことを特徴とする。
【００１４】
また、第４の発明における画像表示システムは、第３の発明において、画像信号受信手段が受信した複合化信号がデジタル信号の場合、画像信号書き込み制御手段および画像信号読み出し制御手段が、インデックス信号が付加された有効表示領域信号の次の有効表示領域信号より画像信号を出力して表示するように制御を行うことを特徴とする。
【００１５】
【発明の実施の形態】
以下、図面を用いて、本発明における画像表示システムの実施の形態の幾つかを詳細に説明する。本発明における画像表示システムの特徴は、特開２０００−３５２９６２号公報の画像表示システムに対して、インデックス判定手段の判定結果に基づいて、画像信号記憶手段へ画像信号の書き込み（つまり、記憶）を開始するように制御するための画像信号書き込み開始信号を出力する画像信号書き込み制御手段と、画像信号書き込み開始信号を受信し、画像信号記憶手段に記憶された画像信号を出力するように画像信号読出し信号を出力する画像信号読み出し制御手段とが付加されたことを特徴とする。
【００１６】
第１の実施の形態
図５は、本発明の第１の実施の形態における、インデックス信号を含む画像表示システムの概略的な構成を示すブロック図である。図５に示す画像表示システムは、図示しないパーソナルコンピュータ（以下、ＰＣという）などからインデックス信号が付加された複合化信号を受信する画像信号受信手段２と、画像信号受信手段２から複合化信号を受信して各信号に分離し、インデックス信号の判定結果に基づいて出力する画像データを選択する画像フレーム選択手段１５と、画像フレーム選択手段１５より出力された画像データを表示する画像表示手段１１とによって構成されている。
【００１７】
図６は、図５の画像フレーム選択手段１５の内部構成を詳細に示した画像表示システムのブロック図である。この画像表示システムは、画像信号入力端子１、画像信号受信手段２、有効表示領域再生手段３、インデックス判別手段４、画像表示装置番号設定手段５、インデックス判定手段６、フレーム選択手段７、画像信号記憶手段８、画像信号書き込み制御手段９、画像信号読み出し制御手段１０、および画像表示手段１１によって構成されている。
【００１８】
尚、Ｄｉは画像信号受信手段２が出力する画像信号、Ｄｓはフレーム選択手段７が出力する画像信号、Ｄｒは画像信号記憶手段８が出力する画像信号、Ｓｉは画像信号受信手段２が出力する同期信号、ＤＥは有効表示領域再生手段３が出力する有効表示領域信号、ＩＤはインデックス判別手段４が判別したインデックス信号、Ｎは画像表示装置番号設定手段５で設定された画像表示装置番号、ＦＳはインデックス判定手段６が出力するフレーム選択信号、ＩＧはインデックス判定手段が出力するインデックス一致信号、ＷＳは画像信号書き込み制御手段が出力する画像信号書き込み開始信号、ＲＳは画像信号読み出し制御手段が出力する画像信号読出し信号である。
【００１９】
図６において、画像信号受信手段２は、複数の画像フレームよりなる画像信号、この画像信号に対応する同期信号、および画像信号の任意の画像フレームに画像信号の一部を置き換えて付加されたインデックス信号を含む複合化信号を受信し、受信した複合化信号から画像信号Ｄｉ、同期信号Ｓｉ、及びインデックス信号ＩＤを分離して出力する動作を行う。また、有効表示領域再生手段３は、画像信号受信手段２から分離されて出力された画像信号Ｄｉと同期信号Ｓｉから有効表示領域信号ＤＥを再生して出力する動作を行う。
【００２０】
インデックス判別手段４は、有効表示領域信号ＤＥと画像信号Ｄｉよりインデックス信号ＩＤを判別し、判別されたインデックス信号ＩＤを出力する動作を行う。画像表示装置番号設定手段５は、画像表示システムの自装置に対して設定された画像表示装置番号Ｎを出力する動作を行う。さらに、インデックス判定手段６は、インデックス判別手段４から出力されたインデックス信号ＩＤと画像表示装置番号設定手段５より出力された自装置の画像表示装置番号Ｎとに基づいて、画像信号Ｄｉに含まれる画像フレームを選択するためのフレーム選択信号ＦＳを出力する動作を行う。また、フレーム選択手段７は、インデックス判定手段６が出力したフレーム選択信号ＦＳに応じて、画像信号Ｄｉに含まれる画像フレームを選択する動作を行う。さらに、画像信号記憶手段８は、フレーム選択手段７から出力された画像フレームに対応する画像信号Ｄｓを記憶する動作を行う。また、画像表示手段１１は、画像信号記憶手段８から取得した画像フレームに対応する画像信号Ｄｒを表示する動作を行う。
【００２１】
画像信号書き込み制御手段９は、インデックス判定手段６の判定結果であるインデックス一致信号ＩＧに基づいて、画像信号記憶手段８へ画像信号の書き込み（つまり、記憶）を開始するように制御するための画像信号書き込み開始信号ＷＳを出力する動作を行う。さらに、画像信号読み出し制御手段１０は、画像信号書き込み開始信号ＷＳを受信し、画像信号記憶手段８に記憶された画像信号Ｄｓを出力するように画像信号読出し信号ＲＳを出力する動作を行う。これによって、画像表示手段１１は、画像信号記憶手段８から画像信号Ｄｒを取得して画像フレームに対応する画像の表示を行う。
【００２２】
図７は、図６の画像表示システムにおいて、画像信号受信手段２、有効表示領域再生手段３およびインデックス判別手段４までの構成を詳細に示すブロック図である。図７に示す画像表示システムは、複合化信号に含まれる画像信号Ｄｉに対応する同期信号Ｓｉを分離・抽出する同期信号処理手段１２と、同期信号処理手段１２から入力された同期信号Ｓｉを基準とする所定周波数のクロックをサンプリングクロックとして出力するクロック再生手段１３と、復号化信号を入力してデジタルの画像信号Ｄｉを出力するＡ／Ｄ変換手段１４と、有効表示領域再生手段３と、インデックス判別手段４とによって構成されている。
【００２３】
次に、図６および図７を用いて、本発明の第１の実施の形態における画像表示システムの動作について説明する。図２に示すように、送出インデックス信号が画像信号の一部を置き換えて付加された画像信号と、この画像信号に同期した垂直同期信号および水平同期信号とが、複合化信号として画像信号入力端子１に入力される。画像信号入力端子１に入力された複合化信号は、さらに、画像信号受信手段２に入力される。
【００２４】
図７には、画像信号受信手段２の内部構成と有効表示領域再生手段３およびインデックス判別手段４までが示されている。このような構成により、入力された複合化信号はＡ／Ｄ変換手段１４と同期信号処理手段１２とに与えられる。一方、Ａ／Ｄ変換手段１４からはデジタルの画像信号としての画像信号Ｄｉが出力される。他方、複合化信号が同期信号処理手段１２に入力されることにより、この複合化信号に含まれる画像信号Ｄｉに対応する同期信号Ｓｉが分離・抽出される。この同期信号Ｓｉは、画像信号受信手段２の外部に出力されると共にクロック再生手段１３にも出力される。クロック再生手段１３においては、入力された同期信号Ｓｉを基準とする所定の周波数のクロックＣＫを、Ａ／Ｄ変換手段１４に入力される複合化信号に含まれる画像信号ＤｉをＡ／Ｄ変換する際のサンプリングクロックとして出力する。
【００２５】
その後、Ａ／Ｄ変換手段１４から出力された画像信号Ｄｉと同期信号処理手段１２から出力された同期信号Ｓｉは、有効表示領域再生手段３に入力される。有効表示領域再生手段３では、デジタル化された画像信号Ｄｉの有効表示領域を計測して算出し、有効表示領域信号ＤＥとして再生して出力する。続いて、有効表示領域再生手段３から出力された有効表示領域信号ＤＥとＡ／Ｄ変換手段１４から出力された画像信号Ｄｉはインデックス判別手段４へ入力される。インデックス判別手段４では、有効表示領域信号ＤＥをタイミングの位置基準として、デジタル化された画像信号Ｄｉからインデックス情報を抽出し、このインデックス情報をインデックスＩＤとして出力する。
【００２６】
図８は、本発明の第１の実施の形態における、画像信号中の画像表示期間内に送出インデックス信号が画像信号の一部を置き換えて付加された場合の各信号のタイムチャートであり、横軸は時間を縦軸は信号レベルをそれぞれ示している。図８を参照すると分かるように、１フレーム期間における垂直同期信号、水平同期信号、有効表示領域信号ＤＥおよび画像信号の各タイミングの関係、および有効表示領域信号ＤＥと画像信号の画像表示期間がリンクしている関係を示している。
【００２７】
図９は、本発明の第１の実施の形態における、有効表示領域信号とインデックス信号との関係を示すタイミングチャートである。つまり、この図は、画像信号中の画像表示期間内の送出インデックス信号が画像信号の一部を置き換えで付加された部分の位置および抽出を説明するための説明図である。図９において、ＤＥｓは有効表示領域信号ＤＥの表示データ開始位置、ＤＥｅは有効表示領域信号ＤＥの表示データ終了位置、ＩＤｓは画像信号中に付加されたインデックス信号の開始位置、ＩＤｅは画像信号中に付加されたインデックス信号の終了位置を示している。有効表示領域信号ＤＥの表示データ開始位置ＤＥｓをインデックス信号を抽出するための位置基準とし、表示データ開始位置ＤＥｓからインデックス信号の表示データ開始位置ＩＤｓまでの時間が経過した後、インデックス信号がある所定画素分のインデックスデータ（インデックス信号の開始位置ＩＤｓからインデックス信号の終了位置ＩＤｅまでの画素）をインデックス判別手段４で抽出し、インデックス信号をＩＤとしてインデックス判別手段４から出力する。ここで扱うインデックスデータとしての画素はあらかじめ任意に決定された画素であり、任意に決定された画素であれば特に長さに制限は持たない。
【００２８】
図１０は、本発明の第１の実施の形態における有効表示領域信号とインデックス信号との関係を示すタイミングチャートである。つまり、この図は、インデックス信号が画像信号中の画像表示期間内の先頭に置き換えて付加された部分の位置および抽出を示す説明図である。表示データ開始位置ＤＥｓがインデックス信号開始位置ＩＤｓとなる。
【００２９】
図６の画像表示システムの構成図を用いて図１０を説明すると、有効表示領域再生手段３で計測された有効表示領域信号ＤＥの始まりからインデックス信号が所定の画素まで終了するインデックス信号の終了位置ＩＤｅまでの画素をインデックス判別手段４で抽出し、インデックス信号をＩＤとしてインデックス判別手段４から出力する。ここで扱うインデックスデータも前述と同様に画素はあらかじめ任意に決定された画素であり、任意に決定された画素であれば特に長さに制限は持たない。
【００３０】
インデックス判別手段４は、上述のようにして得られたインデックス信号ＩＤをインデックス判定手段８に出力する。一方、画像表示装置番号設定手段５は、自装置にあらかじめ設定された画像表示装置番号Ｎをインデックス判定手段６に出力する。インデックス判定手段６は、判定されたインデックス信号ＩＤと画像表示装置番号Ｎとに基づいて、フレーム選択信号ＦＳとインデックス一致信号ＩＧを出力する。フレーム選択手段７は、インデックス判定手段６が出力したフレーム選択信号ＦＳに基づいて、入力された画像信号Ｄｉから所定のフレームを選択する。ここでは、送出インデックス信号が画像期間の一部に置き換えで付加されているので、図１０で説明した送出インデックス信号の場合には画像データの順にインデックスデータがあるので、選択されるフレームは判定が行われたフレームとなる。
【００３１】
画像信号書き込み制御手段９は、インデックス判定手段６より出力されたインデックス一致信号ＩＧを受信する。さらに、画像信号書き込み制御手段９は、インデックス信号の付加されているラインの次のラインより、フレーム選択手段７が画像信号記憶手段８へ画像信号Ｄｓを出力するように、フレーム選択手段７と画像信号読み出し制御手段１０へ画像信号書き込み開始信号ＷＳを出力する。図８で分かりやすく示すと、表示画像領域の１ライン目にインデックス信号が付加されている場合は、１ライン目は記憶せず２ライン目から画像信号記憶手段８へ記憶するように制御している。
【００３２】
フレーム選択手段７は、画像信号書き込み制御手段９より出力される画像信号書き込み開始信号ＷＳを受信して選択された画像信号Ｄｓを画像信号記憶手段８へ出力する。画像信号記憶手段８は、フレーム選択手段７が出力した画像信号Ｄｓを記憶する。画像信号読み出し制御手段１０は画像信号書き込み開始信号ＷＳを受信したら、画像信号記憶手段８に記憶された画像信号Ｄｓを出力させるように、画像信号読出し信号ＲＳを画像信号記憶手段８へ出力する。
【００３３】
画像信号記憶手段８は、画像信号読み出し制御手段１０より出力された画像信号読出し信号ＲＳを受け、画像信号Ｄｒを読み出して画像表示手段１１へ出力する。画像表示手段１１は画像信号記憶手段８から読み出された画像信号Ｄｒを表示する。
【００３４】
以上説明したように、本発明の第１の実施の形態の画像表示システムによれば、画像信号書き込み制御手段９と画像信号読み出し制御手段１０とを備えることにより、一画面全てを画像信号記憶手段８で記憶してから、次の垂直同期信号により更新画像を出力するのではなく、インデックスが付加されている次のラインから画像データを記憶すると共に出力を開始することにより、表示画像を更新する時間を短縮することができる。これにより、表示画像の切り替えや更新をスムーズに行うことが可能となり、インデックス信号を含んだ画像表示システムにおいてユーザの操作性と利便性が一段と向上する。
【００３５】
第２の実施の形態
第１の実施の形態では、受信する画像信号がアナログ信号の場合について説明したが、受信する画像信号がデジタル信号であっでもよい。第２の実施の形態では画像信号がデジタル信号の場合について説明する。図１１は、本発明の第２の実施の形態における、受信する画像信号がデジタル信号の場合のインデックス信号を含む画像表示システムの内部構成を示したブロック図である。図１１において、画像表示システムは、画像信号入力端子（つまり、デジタル画像信号入力端子）１、画像信号受信手段２、インデックス判別手段４、画像表示装置番号設定手段５、インデックス判定手段６、フレーム選択手段７、画像信号記憶手段８、画像信号書き込み制御手段９、画像信号読み出し制御手段１０、および画像表示手段１１によって構成されている。つまり、図１１に示す第２の実施の形態における画像表示システムは、図６に示す第１の実施の形態における画像表示システムから有効表示領域再生手段３を取り除いた構成となっている。
【００３６】
また、Ｄｉは画像信号受信手段２から送出されるデジタル画像信号、ＤＥは画像信号受信手段２から送出される有効表示領域同期信号、Ｄｓはフレーム選択手段７が出力する画像信号、Ｄｒは画像信号記憶手段８が出力する画像信号、ＩＤはインデックス判別手段４が判別したインデックス、Ｎは画像表示装置番号設定手段５で設定された画像表示装置番号、ＦＳはインデックス判定手段６が出力するフレーム選択信号、ＩＧはインデックス判定手段６が出力するインデックス一致信号、ＷＳは画像信号書き込み制御手段９が出力する画像信号書き込み開始信号、ＲＳは画像信号読み出し制御手段１０が出力する画像信号読出し信号である。
【００３７】
次に、図１１に示す第２の実施の形態における画像表示システムの動作について説明する。送出インデックス信号が画像信号の一部に置き換えて付加されたデジタル画像信号が、画像信号入力端子（デジタル画像信号入力端子）１に入力され、画像信号受信手段２で受信したデジタル画像信号Ｄｉと有効表示領域同期信号ＤＥは、何れもインデックス判別手段４に入力される。インデックス判別手段４では有効表示領域同期信号ＤＥをタイミングの位置基準として、デジタル化された画像信号Ｄｉからインデックス情報を抽出し、このインデックス情報をインデックスＩＤとして出力する。インデックスの抽出方法については第１の実施の形態で述べたのと同様であるので、詳細な動作の説明は省略する。
【００３８】
インデックス判別手段４は、第１の実施の形態と同様にして得られたインデックスＩＤをインデックス判定手段６へ出力する。一方、画像表示装置番号設定手段５は、自装置にあらかじめ設定された画像表示装置番号Ｎをインデックス判定手段６へ出力する。インデックス判定手段６は、判別されたインデックスＩＤと画像表示装置番号Ｎとに基づいて、フレーム選択番号ＦＳとインデックス一致信号ＩＧを出力する。フレーム選択手段７は、インデックス判定手段６が出力したフレーム選択信号ＦＳに基づいて、画像信号受信手段２から入力された画像信号Ｄｉから所定のフレームを選択する。ここでは、送出インデックス信号が画像期間の一部に置き換えて付加されているので、図１０で説明した送出インデックス信号の場合には画像データの項にインデックスデータがあるので、選択されるフレームは判定が行われたフレームとなる。
【００３９】
画像信号書き込み制御手段９は、インデックス判定手段６より出力されたインデックス一致信号ＩＧを受信する。さらに、画像信号書き込み制御手段９は、インデックス信号の付加されているラインの次のラインより、フレーム選択手段７が画像信号記憶手段８へ画像信号Ｄｓを出力するように、フレーム選択手段７と画像信号読み出し制御手段１０へ画像信号書き込み開始信号ＷＳを出力する。図８で分かりやすく示すと、表示画像領域の１ライン目にインデックス信号が付加されている場合は、１ライン目は記憶せず２ライン目から画像信号記憶手段８へ記憶するように制御している。
【００４０】
画像信号記憶手段８は、画像信号読み出し制御手段１０より出力された画像信号読出し信号ＲＳを受信し、フレーム選択手段７から受信した画像信号Ｄｓより画像信号Ｄｒを生成して画像表示手段９へ出力する。これによって、画像表示手段１１は画像信号記憶手段８から読み出された画像信号Ｄｒを表示する。
【００４１】
以上説明したように、本発明の第２の実施の形態の画像表示システムによれば、受信する画像信号がデジタル画像信号の場合においても、画像信号書き込み制御手段９と画像信号読み出し制御手段１０とを備えることにより、一画面全てを画像信号記憶手段８で記憶してから次の垂直同期信号により更新画像を出力するのではなく、インデックスＩＤが付加されている次のラインから画像データを記憶すると共に出力を開始することにより、表示画像の更新時間を短縮ですることができる。これによって、表示画像の切り替えや更新をスムーズに行うことが可能となり、インデックス信号を含んだ画像表示システムにおいてユーザの操作性が向上する。
【００４２】
つまり、本発明における第１の実施の形態および第１の実施の形態の画像表示システムによれば、インデックス判定手段６が、フレーム選択手段７へフレーム選択番号ＦＳを出力し、画像信号書き込み制御手段９へインデックス一致信号ＩＧを出力している。すると、画像信号書き込み制御手段９は、インデックス判定手段６の判定結果であるインデックス一致信号ＩＧに基づいて、フレーム選択手段７と画像信号読み出し制御手段１０へ画像信号書き込み開始信号ＷＳを出力する。
【００４３】
これによって、フレーム選択手段７は、インデックスが付加されたラインの次のラインの画像信号Ｄｓを画像信号記憶手段８に記憶させる。一方、画像信号読み出し制御手段１０は、画像信号書き込み制御手段９から受信した画像信号書き込み開始信号ＷＳに基づいて、画像信号記憶手段８へ画像信号読出し信号ＲＳを出力し、画像信号記憶手段８に記憶された画像信号を出力させる。これによって、画像表示手段１１は、画像信号記憶手段８より、インデックスが付加されたラインの次のラインから画像信号Ｄｒを取得して表示することができる。つまり、本発明の画像表示システムによれば、画像信号に付加されたインデックス信号が判定されたら、インデックスが付加されたラインの次のラインより画像を表示するように制御するので、表示画像の更新時間を一段と短縮化することができる。
【００４４】
図１３は、本発明の画像表示システムにおけるインデックスの動作を具体的に示す図である。図１３から分かるように、画像表示装置は、Ｂ画面のインデックスＩＤを判別したら、インデックスが付加されているラインの次のラインよりＢ画面の表示を行っている。つまり、一つの画像表示装置の表示画像が更新されるまでの間の画像表示装置内部の動作と画像信号送出装置の内部動作が、図１２に示す従来技術のような３フレームの画像更新期間を必要とすることなく、次のラインから直ちに画像表示させるように処理されるようになっている。これにより、インデックス信号ＩＤで指定する画像表示装置の数が増えても、一つの画像表示装置の表示画像の更新期間は長くなる虞はなくなる。したがって、動画表示などの滑らかな動きを必要とする画像を表示しても、動画画像をスムーズ且つ連続的に表示させることができる。
【００４５】
【発明の効果】
以上説明したように、本発明の画像表示システムによれば、画像信号書き込み制御手段と画像信号読み出し制御手段を備えることにより、一画面全てを画像信号記憶手段で記憶してから次の垂直同期信号により更新画像を出力するのではなく、インデックスが付加されているラインの次のラインから画像データを記憶すると共に出力を開始することにより、表示画像を更新する時間を短縮することができる。これにより、表示画像の切り替えや更新をスムーズに行うことが可能となり、インデックス信号を含んだ画像表示システムにおいてユーザの操作性と利便性が一段と向上する。また、このような効果は、受信する画像信号がデジタル画像信号の場合でもアナログ画像信号の場合でも得られる。
【図面の簡単な説明】
【図１】画像信号発生装置と画像表示装置からなる従来の画像表示システムの構成図である。
【図２】図１に示す従来の画像表示システムにおいて、インデックス信号が画像信号の一部を置き換えて付加された場合の各信号のタイミングチャートである。
【図３】図１に示す従来の画像表示システムにおいて、画像信号の一部を置き換えて付加されたインデックス信号を８画素で示した説明図である。
【図４】図１に示す従来の画像表示システムにおいて、画像信号の一部を置き換えて付加されたインデックス信号を８画素と１パリティで示した説明図である。
【図５】本発明の第１の実施の形態における、インデックス信号を含む画像表示システムの概略的な構成を示すブロック図である。
【図６】図５の画像フレーム選択手段１５の内部構成を詳細に示した画像表示システムのブロック図である。
【図７】図６の画像表示システムにおいて、画像信号受信手段２、有効表示領域再生手段３およびインデックス判別手段４までの構成を詳細に示すブロック図である。
【図８】本発明の第１の実施の形態における、画像信号中の画像表示期間内に送出インデックス信号が画像信号の一部を置き換えて付加された場合の各信号のタイムチャートである。
【図９】本発明の第１の実施の形態における、有効表示領域信号とインデックス信号との関係を示すタイミングチャートである。
【図１０】本発明の第１の実施の形態における有効表示領域信号とインデックス信号との関係を示すタイミングチャートである。
【図１１】本発明の第２の実施の形態における、受信する画像信号がデジタル信号の場合のインデックス信号を含む画像表示システムの内部構成を示したブロック図である。
【図１２】従来技術の画像表示システムにおけるインデックスの動作を具体的に示す説明図である。
【図１３】本発明の画像表示システムにおけるインデックスの動作を具体的に示す図である。
【符号の説明】
１…画像信号入力端子、２…画像信号受信手段、３…有効表示領域再生手段、４…インデックス判別手段、５…画像表示装置番号設定手段、６…インデックス判定手段、７…フレーム選択手段、８…画像信号記憶手段、９…画像信号書き込み制御手段、１０…画像信号読み出し制御手段、１１…画像表示手段、１２…同期信号処理手段、１３…クロック再生手段、１４…Ａ／Ｄ変換手段、１５…画像フレーム選択手段、２０１…画像信号発生装置、２０２…画像表示装置、Ｄｉ，Ｄｓ，Ｄｒ…画像信号、Ｓｉ…同期信号、ＤＥ…有効表示領域信号、ＩＤ…インデックス、Ｎ…画像表示装置番号、ＦＳ…フレーム選択信号、ＩＧ…インデックス一致信号、ＷＳ…画像信号書き込み開始信号、ＲＳ…画像信号読出し信号、ＤＥｓ…表示データ開始位置、ＤＥｅ…表示データ終了位置、ＩＤｓ…インデックス信号開始位置、ＩＤｅ…インデックス信号終了位置
【図１】
2004102026.tif 000003
【図２】
2004102026.tif 000004
【図３】
2004102026.tif 000005
【図４】
2004102026.tif 000006
【図５】
2004102026.tif 000007
【図６】
2004102026.tif 000008
【図７】
2004102026.tif 000009
【図８】
2004102026.tif 000010
【図９】
2004102026.tif 000011
【図１０】
2004102026.tif 000012
【図１１】
2004102026.tif 000013
【図１２】
2004102026.tif 000014
【図１３】
2004102026.tif 000015